(57)【要約】【課題】使いやすい歯漂白装置を提供する。【解決手段】歯漂白装置１０は、歯を漂白する歯漂白流体、および、加湿された気体である加湿気体を生成する生成装置３０と、歯漂白流体および加湿気体を供給するマウスピース１００と、生成装置３０とマウスピース１００とを互いに連結する連結部２０とを備える。マウスピース１００は、歯漂白流体を供給する第１供給口１０３、第１供給口１０３と区画して形成され、加湿気体を供給する第２供給口１０４、歯漂白流体を第１供給口１０３に案内する第１供給通路１０１、および、第１供給通路１０１と区画して形成され、加湿気体を第２供給口１０４に案内する第２供給通路１０２をさらに備える。【選択図】図２
2015229085.tif 000002
【特許請求の範囲】
【請求項１】
歯を漂白する歯漂白流体、および、加湿された気体である加湿気体を生成する生成装置と、
前記生成装置により生成された前記歯漂白流体および前記加湿気体を供給する供給口が形成されるマウスピースと
を備える歯漂白装置。
【請求項２】
前記マウスピースは、前記歯漂白流体を供給する前記供給口である第１供給口、および、前記第１供給口と区画して形成され、前記加湿気体を供給する前記供給口である第２供給口を備える
請求項１に記載の歯漂白装置。
【請求項３】
前記マウスピースは、前記歯漂白流体を前記第１供給口に案内する第１供給通路、および、前記第１供給通路と区画して形成され、前記加湿気体を前記第２供給口に案内する第２供給通路をさらに備える
請求項２に記載の歯漂白装置。
【請求項４】
前記第１供給口および前記第２供給口が相互に異なる方向を指向している
請求項２または３に記載の歯漂白装置。
【請求項５】
加湿された気体である加湿気体を生成し、その加湿気体から歯を漂白する歯漂白流体を生成する生成装置、または、歯を漂白する歯漂白流体を生成し、その流体から加湿された気体である加湿気体を生成する生成装置と、
前記生成装置により生成された前記歯漂白流体または前記加湿気体を供給する供給口が形成されるマウスピースと
を備える歯漂白装置。
【請求項６】
前記マウスピースは前記歯漂白流体を案内するガイド面が形成された湾曲要素を含む
請求項１〜５のいずれか一項に記載の歯漂白装置。
【請求項７】
前記供給口が前記ガイド面に開口する
請求項６に記載の歯漂白装置。
【請求項８】
前記生成装置と前記マウスピースとを連結する連結部をさらに備え、
前記連結部は直接的あるいは間接的に前記供給口と連通する供給通路を備える
請求項１〜７のいずれか一項に記載の歯漂白装置。
【発明の詳細な説明】
【技術分野】
【０００１】
本発明は歯漂白流体を歯に供給する歯漂白装置に関する。
【背景技術】
【０００２】
歯漂白装置は、歯の色素分子に作用するラジカル種を生成し、このラジカル種を歯に供給することにより歯を漂白する。その一例として、歯科医師が用いる医療用歯漂白装置が知られている。この医療用歯漂白装置は、酸素系漂白剤に紫外線を照射することにより、または、酸素系漂白剤に熱を加えることにより、酸素系漂白剤からラジカル種を発生させる。紫外線の照射または加熱は口腔内に酸化系漂白剤を供給しながら行われる。このため、酸素系歯漂白剤に含まれる過酸化物が歯もしくは歯茎に接触すること、または、紫外線が歯もしくは歯茎に照射されること、または、紫外線により歯もしくは歯茎が加熱されることにより歯もしくは歯茎が傷むおそれがある。
【０００３】
このような歯または歯茎への影響を考慮し、酸素系歯漂白剤を用いずにラジカル種を発生させる家庭用歯漂白装置が知られている。特許文献１はその一例を開示している。
特許文献１の歯漂白装置は、プラズマを形成するための気体を貯留する気体シリンダー、および、気体シリンダーの気体から有効成分であるラジカル種を含むプラズマを生成するプラズマ発生セルを備える。特許文献１の歯漂白装置はさらに、プラズマ放出口を含むアプリケーターチューブ、および、プラズマ発生セルとアプリケーターチューブとを連結するホースを備える。
【０００４】
この歯漂白装置のユーザーは、プラズマ放出口が漂白対象である歯を指向するようにアプリケーターチューブを手に持ちながらプラズマ発生セルを駆動させる。プラズマ発生セルにより生成されたプラズマは、アプリケーターチューブを介して歯に供給される。
【先行技術文献】
【特許文献】
【０００５】
【特許文献１】特表２０１２−５１３４５５号公報
【発明の概要】
【発明が解決しようとする課題】
【０００６】
ユーザーは特許文献１の歯漂白装置を使用しているとき、アプリケーターチューブのプラズマ放出口が漂白対象の歯からずれないようにアプリケーターチューブを持つ手の姿勢を保持する必要がある。このため、特許文献１の歯漂白装置は、使いやすさの点において改善の余地がある。
【０００７】
本発明の目的は使いやすい歯漂白装置を提供することである。
【課題を解決するための手段】
【０００８】
本発明の一形態に従う歯漂白装置は、歯を漂白する歯漂白流体、および、加湿された気体である加湿気体を生成する生成装置と、前記生成装置により生成された前記歯漂白流体および前記加湿気体を供給する供給口が形成されるマウスピースとを備える。
【０００９】
本発明の一形態に従う別の歯漂白装置は、加湿された気体である加湿気体を生成し、その加湿気体から歯を漂白する歯漂白流体を生成する生成装置、または、歯を漂白する歯漂白流体を生成し、その流体から加湿された気体である加湿気体を生成する生成装置と、前記生成装置により生成された前記歯漂白流体または前記加湿気体を供給する供給口が形成されるマウスピースとを備える。
【発明の効果】
【００１０】
歯漂白装置の一形態によれば、使いやすさをユーザーに提供できる。
【図面の簡単な説明】
【００１１】
【図１】実施の形態１の歯漂白装置のブロック図。
【図２】実施の形態２の歯漂白装置の斜視図。
【図３】実施の形態２のマウスピースの平面図。
【図４】実施の形態２のマウスピースの平面図。
【図５Ａ】実施の形態３における図３のＺ５Ａ−Ｚ５Ａ線の断面図。
【図５Ｂ】実施の形態３における図３のＺ５Ｂ−Ｚ５Ｂ線の断面図。
【図６】実施の形態４の歯漂白装置のブロック図。
【図７】実施の形態５の放電部の断面図。
【図８】実施の形態６のマウスピースの斜視図。
【図９】実施の形態６のマウスピースの分解斜視図。
【図１０】実施の形態６のマウスピースの断面図。
【図１１】実施の形態６のマウスピースの平面図。
【図１２】実施の形態７のマウスピースの斜視図。
【図１３】実施の形態７のマウスピースの断面図。
【図１４】実施の形態８の歯漂白装置の斜視図。
【図１５】実施の形態８のマウスピースの分解斜視図。
【図１６】実施の形態８のマウスピースの平面図。
【図１７】実施の形態９のマウスピースの斜視図。
【図１８】実施の形態９のマウスピースの平面図。
【図１９Ａ】図１８のＺ１９Ａ−Ｚ１９Ａ線の断面図。
【図１９Ｂ】図１８のＺ１９Ｂ−Ｚ１９Ｂ線の断面図。
【発明を実施するための形態】
【００１２】
（歯漂白装置が取り得る形態の一例）
〔１〕本発明の一形態に従う歯漂白装置は、歯を漂白する歯漂白流体、および、加湿された気体である加湿気体を生成する生成装置と、前記生成装置により生成された前記歯漂白流体および前記加湿気体を供給する供給口が形成されるマウスピースとを備える。
【００１３】
この歯漂白装置によれば、ユーザーは歯漂白流体を口腔内に供給する物体であるマウスピースを装着することにより、その物体を歯の漂白に適した位置に保持できる。すなわち、ユーザーは歯漂白流体を供給する物体を手で持たなくとも歯を漂白できる。このため、歯漂白装置はユーザーに使いやすさを提供できる。また、加湿気体がマウスピースから口腔内に供給されるため、ユーザーが別途水分を口腔内に供給しなくとも口腔内が乾燥しにくくなる。歯漂白装置はこの点においても使いやすさをユーザーに提供することに貢献する。
【００１４】
〔２〕前記歯漂白装置の一形態によれば、前記マウスピースは、前記歯漂白流体を供給する前記供給口である第１供給口、および、前記第１供給口と区画して形成され、前記加湿気体を供給する前記供給口である第２供給口を備える。
【００１５】
この歯漂白装置によれば、歯漂白流体および加湿気体が口腔内に供給される前に混合しにくい。このため、例えば歯漂白流体に含まれる有効成分が加湿気体と混合することにより失活するおそれが低減される。このため、マウスピースが相互に区画される第１供給口および第２供給口を含まない場合と比較して歯が効率的に漂白される。
【００１６】
〔３〕前記歯漂白装置の一形態によれば、前記マウスピースは、前記歯漂白流体を前記第１供給口に案内する第１供給通路、および、前記第１供給通路と区画して形成され、前記加湿気体を前記第２供給口に案内する第２供給通路をさらに備える。
【００１７】
この歯漂白装置によれば、歯漂白流体および加湿気体がマウスピースの内部を通過するときに混合しにくい。このため、例えば歯漂白流体に含まれる有効成分が加湿気体と混合することにより失活するおそれが一層低減される。このため、マウスピースが相互に区画される第１供給通路および第２供給通路を含まない場合と比較して歯が効率的に漂白される。
【００１８】
〔４〕前記歯漂白装置の一形態によれば、前記第１供給口および前記第２供給口が相互に異なる方向を指向している。
この歯漂白装置によれば、マウスピースから口腔内に供給された歯漂白流体および加湿気体が混合しにくい。このため、例えば歯漂白流体に含まれる有効成分が加湿気体と混合することにより失活するおそれが低減される。このため、第１供給口および第２供給口が同じ方向を指向する場合と比較して歯が効率的に漂白される。
【００１９】
〔５〕本発明の一形態に従う別の歯漂白装置は、加湿された気体である加湿気体を生成し、その加湿気体から歯を漂白する歯漂白流体を生成する生成装置、または、歯を漂白する歯漂白流体を生成し、その流体から加湿された気体である加湿気体を生成する生成装置と、前記生成装置により生成された前記歯漂白流体または前記加湿気体を供給する供給口が形成されるマウスピースとを備える。
【００２０】
この歯漂白装置によれば、ユーザーは歯漂白流体を口腔内に供給する物体であるマウスピースを装着することにより、その物体を歯の漂白に適した位置に保持できる。すなわち、ユーザーは歯漂白流体を供給する物体を手で持たなくとも歯を漂白できる。このため、歯漂白装置はユーザーに使いやすさを提供できる。また、加湿気体がマウスピースから口腔内に供給されるため、ユーザーが別途水分を口腔内に供給しなくとも口腔内が乾燥しにくくなる。歯漂白装置はこの点においても使いやすさをユーザーに提供することに貢献する。
【００２１】
〔６〕前記歯漂白装置の一形態によれば、前記マウスピースは前記歯漂白流体を案内するガイド面が形成された湾曲要素を含む。
この歯漂白装置によれば、口腔内に供給された歯漂白流体が湾曲要素のガイド面に案内されることにより、歯の並びに沿って流れやすい。このため、歯漂白装置が湾曲要素を含まない場合と比較して歯が効率的に漂白される。
【００２２】
〔７〕前記歯漂白装置の一形態によれば、前記供給口が前記ガイド面に開口する。
この歯漂白装置によれば、供給口から口腔内に供給された歯漂白流体が歯に到達しやすい。このため、供給口がガイド面に開口しない場合と比較して歯が効率的に漂白される。また、供給口から口腔内に供給された加湿気体が歯茎に到達しやすい。このため、供給口がガイド面に開口しない場合と比較して歯茎の乾燥が効率的に抑制される。
【００２３】
〔８〕前記歯漂白装置の一形態によれば、前記生成装置と前記マウスピースとを連結する連結部をさらに備え、前記連結部は直接的あるいは間接的に前記供給口と連通する供給通路を備える。
【００２４】
この歯漂白装置によれば、ユーザーは生成装置から離れた位置でもマウスピースを装着できるため、歯を漂白するときに比較的自由な姿勢を取りやすい。歯漂白装置はこのような点においてもユーザーに使いやすさを提供することに貢献する。
【００２５】
（実施の形態１）
図１を参照して、歯漂白装置１０の構成について説明する。
歯漂白装置１０は、歯を漂白する歯漂白流体および加湿された気体である加湿気体を生成する生成装置３０、歯漂白流体および加湿気体を供給するマウスピース１００、および、生成装置３０とマウスピース１００とを連結する連結部２０を備える。歯漂白流体の一例は帯電微粒子水を含む気体であり、帯電微粒子水に含まれるラジカル種は歯を漂白する有効成分の一例である。ラジカル種の一例はＯＨラジカルである。
【００２６】
生成装置３０は、ラジカル種を含む帯電微粒子水を生成する放電部４０、加湿気体を生成する加湿器３３、ならびに、放電部４０および加湿器３３をはじめとする各種の構成要素を収容するハウジング３４を備える。生成装置３０はさらに、放電部４０に帯電微粒子水を生成させるためのトリガ、および、加湿器３３に加湿気体を生成させるためのトリガを形成するスイッチ３７を備える。放電部４０には加湿器３３により加湿されていない気体が供給される。
【００２７】
ハウジング３４は、連結部２０が接続される接続部３５、放電部４０により生成された歯漂白流体を連結部２０に案内する第１供給通路３１、および、加湿器３３により生成された加湿気体を連結部２０に案内する第２供給通路３２を備える。第１供給通路３１および第２供給通路３２はそれぞれの通路を流れる流体が混合しないように相互に区画されている。
【００２８】
接続部３５はハウジング３４の内部の空間とハウジング３４の外部とを連通する接続通路３６を備える。第１供給通路３１は放電部４０の出口と接続通路３６とを連通する。第２供給通路３２は加湿器３３の出口と接続通路３６とを連通する。
【００２９】
マウスピース１００は、連結部２０が接続される接続部１１０、ならびに、マウスピース１００の内部の空間とマウスピース１００の外部とを連通する第１供給口１０３および第２供給口１０４を備える。第１供給口１０３および第２供給口１０４はそれぞれの通路を通過する流体が混合しないように相互に区画されている。
【００３０】
マウスピース１００はさらに、マウスピース１００の内部に供給された歯漂白流体を第１供給口１０３に案内する第１供給通路１０１、および、マウスピース１００の内部に供給された加湿気体を第２供給口１０４に案内する第２供給通路１０２を備える。第１供給通路１０１および第２供給通路１０２はそれぞれの通路を流れる流体が混合しないように相互に区画されている。
【００３１】
接続部１１０はマウスピース１００の内部の空間とマウスピース１００の外部とを連通する接続通路１１１を備える。第１供給通路１０１は接続通路１１１と第１供給口１０３とを連通する。第２供給通路１０２は接続通路１１１と第２供給口１０４とを連通する。
【００３２】
連結部２０は、生成装置３０から供給された歯漂白流体をマウスピース１００に案内する第１供給通路２１、および、生成装置３０から供給された加湿気体をマウスピース１００に案内する第２供給通路２２を備える。第１供給通路２１および第２供給通路２２はそれぞれの通路を流れる流体が混合しないように相互に区画されている。
【００３３】
連結部２０の一例は１本の管状の物体であり、その内部に第１供給通路２１および第２供給通路２２を備える。連結部２０の別の一例は２本の管状の物体であり、一方の物体の内部に第１供給通路２１を備え、他方の物体の内部に第２供給通路２２を備える。
【００３４】
生成装置３０の接続通路３６に連結部２０が挿入された状態によれば、生成装置３０の通路および連結部２０の通路が次の接続関係を形成する。生成装置３０の第１供給通路３１は、連結部２０の第１供給通路２１と連通し、連結部２０の第２供給通路２２とは連通しない。生成装置３０の第２供給通路３２は、連結部２０の第２供給通路２２と連通し、連結部２０の第１供給通路２１とは連通しない。
【００３５】
マウスピース１００の接続通路１１１に連結部２０が挿入された状態によれば、マウスピース１００の通路および連結部２０の通路が次の接続関係を形成する。マウスピース１００の第１供給通路１０１は、連結部２０の第１供給通路２１と連通し、連結部２０の第２供給通路２２とは連通しない。マウスピース１００の第２供給通路１０２は、連結部２０の第２供給通路２２と連通し、連結部２０の第１供給通路２１とは連通しない。
【００３６】
歯漂白装置１０の動作について説明する。
ユーザーはマウスピース１００を口腔内に装着し、口を閉じることによりマウスピース１００を保持する。その後、スイッチ３７がオフからオンに切り替えられることにより放電部４０および加湿器３３が動作しはじめ、放電部４０により帯電微粒子水を含む歯漂白流体が生成され、加湿器３３により加湿気体が生成される。
【００３７】
放電部４０により生成された歯漂白流体は、生成装置３０の第１供給通路３１、連結部２０の第１供給通路２１、および、マウスピース１００の第１供給通路１０１の順に流れる。第１供給通路１０１の歯漂白流体は第１供給口１０３から口腔内に供給される。このため、帯電微粒子水が歯に到達し、帯電微粒子水に含まれるラジカル種が歯に付着している着色性の有機物質から電子を奪う。このため、着色性の有機物質が分解され、歯が漂白される。
【００３８】
加湿器３３により生成された加湿気体は、生成装置３０の第２供給通路３２、連結部２０の第２供給通路２２、および、マウスピース１００の第２供給通路１０２の順に流れる。第２供給通路１０２の加湿気体は第２供給口１０４から口腔内に供給される。このため、加湿気体が歯茎および舌をはじめとする口腔内の器官に到達し、その器官の乾燥が抑制される。
【００３９】
実施の形態１の歯漂白装置１０によれば以下の効果が得られる。
（１）歯漂白装置１０は生成装置３０およびマウスピース１００を備える。この構成によれば、ユーザーは歯漂白流体を口腔内に供給する物体であるマウスピース１００を装着することにより、その物体を歯の漂白に適した位置に保持できる。すなわち、ユーザーは歯漂白流体を供給する物体を手で持たなくとも歯を漂白できる。このため、歯漂白装置１０はユーザーに使いやすさを提供できる。
【００４０】
（２）上記（１）の構成によれば、ユーザーが歯漂白装置１０を使用しているとき、ユーザーの手が疲れにくい。歯漂白装置１０はこの点においてもユーザーに使いやすさを提供することに貢献する。
【００４１】
（３）上記（１）の構成によれば、ユーザーは、歯漂白装置１０を使用している最中に手を自由に使うことができる。このため、ユーザーは歯を漂白しながら他の作業を実施できる。歯漂白装置１０はこの点においてもユーザーに使いやすさを提供することに貢献する。
【００４２】
（４）上記（１）の構成によれば、歯漂白流体を歯に供給する物体をユーザーが手で持つ場合と比較して、ユーザーが歯漂白装置１０を使用している最中に歯に対する第１供給口１０３の位置がずれにくい。このため、第１供給口１０３から口腔内に供給された歯漂白流体が歯に効率的に供給される。
【００４３】
（５）生成装置３０は加湿器３３を備える。この構成によれば、加湿気体がマウスピース１００から口腔内に供給されるため、ユーザーが別途水分を口腔内に供給しなくとも口腔内が乾燥しにくくなる。歯漂白装置１０はこの点においても使いやすさをユーザーに提供することに貢献する。
【００４４】
（６）マウスピース１００は相互に区画された第１供給口１０３および第２供給口１０４を備える。この構成によれば、歯漂白流体および加湿気体が口腔内に供給される前に混合しにくい。このため、歯漂白流体に含まれる有効成分が加湿気体と混合することにより失活するおそれが低減される。このため、マウスピース１００が相互に区画される第１供給口１０３および第２供給口１０４を含まない場合と比較して歯が効率的に漂白される。
【００４５】
（７）マウスピース１００は相互に区画された第１供給通路１０１および第２供給通路１０２を備える。この構成によれば、歯漂白流体および加湿気体がマウスピース１００の内部を通過するときに混合しにくい。このため、歯漂白流体に含まれる有効成分が加湿気体と混合することにより失活するおそれが一層低減される。このため、マウスピース１００が相互に区画される第１供給通路１０１および第２供給通路１０２を含まない場合と比較して歯が効率的に漂白される。
【００４６】
（８）歯漂白流体に含まれるラジカル種は種々の理由により、歯に作用する前に失活することがある。例えば、歯漂白流体および加湿気体が口腔内に供給される前に混合される場合、ラジカル種が加湿気体に含まれる水粒子と衝突し、別の物質に置換されることがある。また、加湿気体が通過した通路を歯漂白流体が通過する場合、加湿気体から各種物体の壁面に付着した水分にラジカル種が吸着されることがある。一方、上記（６）および（７）の構成はそれぞれ上記のようにラジカル種を失活させるおそれを低減することに貢献する。このため、マウスピース１００が上記（６）または（７）の構成を含まない場合と比較して歯漂白流体が歯に効率的に供給される。
【００４７】
（９）歯漂白装置１０は連結部２０を備える。この構成によれば、ユーザーは生成装置３０から離れた位置でもマウスピース１００を装着できるため、歯を漂白するときに比較的自由な姿勢を取りやすい。歯漂白装置１０はこのような点においてもユーザーに使いやすさを提供することに貢献する。
【００４８】
（１０）加湿気体にコロナ放電を発生させることにより歯漂白流体が生成される場合、電極が結露することに起因してコロナ放電が発生しないことがある。一方、歯漂白装置１０は加湿されていない気体を放電部４０に供給する。このため、放電部４０により歯漂白流体が効率的に生成される。
【００４９】
（実施の形態２）
図２〜図４を参照して、実施の形態２の歯漂白装置１０の構成について説明する。実施の形態２の歯漂白装置１０は、実施の形態１の歯漂白装置１０に関する説明により明示されていない以下の構成を含む。
【００５０】
図２は歯漂白装置１０の斜視構造を示している。
生成装置３０および連結部２０は、連結部２０が生成装置３０に接続された状態、および、連結部２０が生成装置３０から分離された状態をユーザーが任意に選択できる接続構造を備える。マウスピース１００および連結部２０は、連結部２０がマウスピース１００に接続された状態、および、連結部２０がマウスピース１００から分離された状態をユーザーが任意に選択できる接続構造を備える。
【００５１】
連結部２０の一例はハウジング３４の接続部３５とマウスピース１００の接続部１１０とを連結するホースである。このホースを構成する材料の一例は高い可撓性を有する樹脂である。ホースは内管２３および外管２４により構成される２重管構造を備える。内管２３の内部に第１供給通路２１が形成されている。内管２３と外管２４との間に第２供給通路２２が形成されている。
【００５２】
図３はマウスピース１００の平面構造を示している。
マウスピース１００は例えばその平面視における左右方向の中心線に対して左右対称の形状を有し、ユーザーの年齢等に応じた様々な大きさを取り得る。マウスピース１００を構成する材料の一例はシリコーンゴムである。
【００５３】
マウスピース１００は接続部１１０の他に、歯漂白流体を案内できるように湾曲した外側湾曲要素１２０、外側湾曲要素１２０から突出した咬合要素１３０、および、咬合要素１３０から突出した内側湾曲要素１４０を備える。咬合要素１３０および内側湾曲要素１４０は外側湾曲要素１２０の形状に倣って湾曲している。マウスピース１００はさらに、外側湾曲要素１２０、咬合要素１３０、および、内側湾曲要素１４０に囲まれた歯収容空間１０５を備える。
【００５４】
外側湾曲要素１２０は、第１供給通路１０１、第２供給通路１０２、第１供給口１０３、および、第２供給口１０４を備え、さらに、歯漂白流体を案内するガイド面１２１を備える。第１供給通路１０１および第２供給通路１０２は外側湾曲要素１２０の内部に形成され、外側湾曲要素１２０の一部により相互に区画されている。第１供給口１０３および第２供給口１０４はガイド面１２１に開口し、外側湾曲要素１２０の一部により相互に区画されている。
【００５５】
第１供給通路１０１等は一例によれば次のような形態を有する。第１供給通路１０１および第１供給口１０３、ならびに、第２供給通路１０２および第２供給口１０４は外側湾曲要素１２０の延長方向に沿うように形成される。第１供給通路１０１および第２供給通路１０２は外側湾曲要素１２０の高さ方向に並べて形成される。第２供給通路１０２は外側湾曲要素１２０の高さ方向において第１供給通路１０１を挟み込むように形成される。
【００５６】
図示される例によれば、第１供給通路１０１のうちの外側湾曲要素１２０の形状に倣って湾曲した部分、および、第２供給通路１０２のうちの外側湾曲要素１２０の形状に倣って湾曲した部分が外側湾曲要素１２０の平面視において実質的に重なり合っている。図３および図４では、第２供給通路１０２を形成する一部の面が第１供給通路１０１に対してずれた位置に表示されていることにより、それらの図に第１供給通路１０１および第２供給通路１０２の存在が示されている。
【００５７】
咬合要素１３０は外側湾曲要素１２０の内方に向けて突出し、相対的に表裏の関係を形成する内側面１３１および外側面１３２を備える。内側湾曲要素１４０は咬合要素１３０の内側面１３１からマウスピース１００の高さ方向に突出した要素であり、外側湾曲要素１２０のガイド面１２１と対向するガイド面１４１を備える。
【００５８】
図４を参照して、歯漂白装置１０の動作について説明する。
ユーザーは、上顎の歯または下顎の歯がマウスピース１００の歯収容空間１０５に配置されるようにマウスピース１００を口腔に装着し、上顎の歯および下顎の歯で咬合要素１３０を咬むことによりマウスピース１００を保持する。マウスピース１００が口腔に装着された状態によれば、外側湾曲要素１２０のガイド面１２１が歯収容空間１０５の一部を隔てて歯の表面と対向し、内側湾曲要素１４０のガイド面１４１が歯収容空間１０５の一部を隔てて歯の裏面と対向する。さらに、咬合要素１３０の内側面１３１が上顎の歯と接触し、咬合要素１３０の外側面１３２が下顎の歯と接触する。
【００５９】
図４の白抜き矢印は、連結部２０およびマウスピース１００を通過して口腔内に供給される歯漂白流体の流れ、および、口腔内における歯漂白流体の流れをおおまかに示している。図４の黒い矢印は、連結部２０およびマウスピース１００を通過して口腔内に供給される加湿気体の流れ、および、口腔内における加湿気体の流れをおおまかに示している。なお、図５Ａ、図５Ｂ、図１０、図１１、図１３、図１６、図１９Ａ、および、図１９Ｂに示される白抜き矢印および黒い矢印は、図４の各矢印により示される歯漂白流体および加湿気体の流れと同様または類似する歯漂白流体および加湿気体の流れを示している。
【００６０】
生成装置３０により生成された歯漂白流体は、生成装置３０の第１供給通路３１、連結部２０の第１供給通路２１、および、マウスピース１００の第１供給通路１０１の順に流れる。第１供給通路１０１の歯漂白流体は第１供給口１０３から歯収容空間１０５に供給される。このため、歯収容空間１０５に供給された歯漂白流体が前歯ＴＦまたは奥歯ＴＲに到達し、その歯が漂白される。歯収容空間１０５の歯漂白流体は外側湾曲要素１２０のガイド面１２１に案内されることにより歯の並びに沿うように歯収容空間１０５を流れる。このため、歯漂白流体が上顎の歯または下顎の歯のおおよそ全部に到達し、それらの歯が漂白される。
【００６１】
生成装置３０により生成された加湿気体は、生成装置３０の第２供給通路３２、連結部２０の第２供給通路２２、および、マウスピース１００の第２供給通路１０２の順に流れる。第２供給通路１０２の加湿気体は第２供給口１０４から歯収容空間１０５に供給される。このため、歯収容空間１０５に供給された加湿気体が歯茎および舌等の器官に到達し、その器官の乾燥が抑制される。
【００６２】
実施の形態２の歯漂白装置１０によれば、実施の形態１の歯漂白装置１０により得られる（１）〜（１０）の効果に加えて、さらに以下の効果が得られる。
（１１）歯漂白装置１０は２重管構造の連結部２０を備える。この構成によれば、個別に形成される複数の連結部を備える場合と比較して、ユーザーがマウスピース１００を装着するときにマウスピース１００を引き回しやすい。歯漂白装置はこのような点においてもユーザーに使いやすさを提供することに貢献する。
【００６３】
（１２）マウスピース１００は外側湾曲要素１２０を備える。この構成によれば、歯収容空間１０５に供給された歯漂白流体が外側湾曲要素１２０のガイド面１２１に案内されることにより、歯の並びに沿って流れやすい。このため、マウスピース１００が外側湾曲要素１２０を含まない場合と比較して歯が効率的に漂白される。
【００６４】
（１３）第１供給口１０３が外側湾曲要素１２０のガイド面１２１に開口している。この構成によれば、第１供給口１０３から口腔内に供給された歯漂白流体が歯に到達しやすい。このため、第１供給口１０３がガイド面１２１に開口しない場合と比較して歯が効率的に漂白される。
【００６５】
（１４）第２供給口１０４が外側湾曲要素１２０のガイド面１２１に開口している。この構成によれば、第２供給口１０４から口腔内に供給された加湿気体が歯茎に到達しやすい。このため、第２供給口１０４がガイド面１２１に開口しない場合と比較して歯茎の乾燥が効率的に抑制される。
【００６６】
（実施の形態３）
図５Ａおよび図５Ｂを参照して、実施の形態３の歯漂白装置１０の構成について説明する。実施の形態３の歯漂白装置１０は、実施の形態２の歯漂白装置１０に関する説明により明示されていない以下の構成を含む。
【００６７】
図５Ａは、マウスピース１００を装着したユーザーの口腔における前歯ＴＦおよびその周囲を示している。図５Ｂは、マウスピース１００を装着したユーザーの口腔における奥歯ＴＲおよびその周囲を示している。
【００６８】
歯収容空間１０５の高さは一例によれば、前歯ＴＦおよび奥歯ＴＲにおける歯茎Ｇとの付け根の部分が歯収容空間１０５に収容されるように設定される。なお、歯収容空間１０５の高さは咬合要素１３０の内側面１３１から外側湾曲要素１２０の頂面または内側湾曲要素１４０の頂面までの距離である。
【００６９】
歯収容空間１０５の幅は一例によれば、外側湾曲要素１２０のガイド面１２１と前歯ＴＦおよび奥歯ＴＲとの間に適度な大きさの隙間である案内通路１０６が形成されるように設定される。なお、歯収容空間１０５の幅は咬合要素１３０がガイド面１２１から突出している方向における外側湾曲要素１２０のガイド面１２１と内側湾曲要素１４０のガイド面１４１との距離である。
【００７０】
歯収容空間１０５の開口の幅は一例によれば、外側湾曲要素１２０のガイド面１２１、および、内側湾曲要素１４０のガイド面１４１が、前歯ＴＦおよび奥歯ＴＲにおける歯茎Ｇとの付け根の部分と適度な圧力で接触するように設定される。なお、図示された例によれば、歯収容空間１０５の開口の幅が歯収容空間１０５の幅と同じ大きさに設定されている。
【００７１】
図５Ａに示されるとおり、マウスピース１００が口腔に装着された状態によれば、上顎の前歯ＴＦの切縁が咬合要素１３０の内側面１３１に接触し、下顎の前歯の切縁（図示略）が咬合要素１３０の外側面１３２に接触する。外側湾曲要素１２０のガイド面１２１は前歯ＴＦとの間に案内通路１０６を形成する。外側湾曲要素１２０のガイド面１２１は上顎の歯茎Ｇにおける前歯ＴＦの付け根の部分の表面に密着する。内側湾曲要素１４０のガイド面１４１は上顎の歯茎Ｇにおける前歯ＴＦの付け根の部分の裏面に密着する。
【００７２】
図５Ｂに示されるとおり、マウスピース１００が口腔に装着された状態によれば、上顎の奥歯ＴＲの咬合面が咬合要素１３０の内側面１３１に接触し、下顎の奥歯の咬合面（図示略）が咬合要素１３０の外側面１３２に接触する。外側湾曲要素１２０のガイド面１２１は奥歯ＴＲとの間に案内通路１０６を形成する。外側湾曲要素１２０のガイド面１２１は上顎の歯茎Ｇにおける奥歯ＴＲの付け根の部分の表面に密着する。内側湾曲要素１４０のガイド面１４１は上顎の歯茎Ｇにおける奥歯ＴＲの付け根の部分の裏面に密着する。
【００７３】
図５Ａおよび図５Ｂを参照して、歯漂白装置１０の動作について説明する。
図５Ａに示されるとおり、連結部２０の第１供給通路２１からマウスピース１００の第１供給通路１０１に歯漂白流体が供給される。第１供給通路１０１の歯漂白流体は第１供給口１０３の中間部分から案内通路１０６に供給される。このため、歯漂白流体が前歯ＴＦに到達し、その歯が漂白される。
【００７４】
また、連結部２０の第２供給通路２２からマウスピース１００の第２供給通路１０２に加湿気体が供給される。第２供給通路１０２の加湿気体は第２供給口１０４の中間部分から案内通路１０６に供給される。このため、加湿気体が前歯ＴＦの根本に存在する歯茎Ｇに到達し、その器官の乾燥が抑制される。
【００７５】
図５Ｂに示されるとおり、第１供給通路１０１の歯漂白流体は第１供給口１０３の中間部分よりも端部側の部分から案内通路１０６に供給される。このため、歯漂白流体が奥歯ＴＲに到達し、その歯が漂白される。
【００７６】
また、第２供給通路１０２の加湿気体は第２供給口１０４の中間部分よりも端部側の部分から案内通路１０６に供給される。このため、加湿気体が奥歯ＴＲの根本に存在する歯茎Ｇに到達し、その器官の乾燥が抑制される。
【００７７】
案内通路１０６の歯漂白流体は、外側湾曲要素１２０のガイド面１２１に案内されることにより歯の並びに沿うように案内通路１０６を流れる。このため、歯漂白流体が上顎の歯および下顎の歯のおおよそ全部に到達し、それらの歯が漂白される。
【００７８】
また、案内通路１０６の加湿気体は外側湾曲要素１２０のガイド面１２１に案内されることにより歯の並びに沿うように案内通路１０６を流れる。このため、加湿気体が上顎の歯茎Ｇおよび下顎の歯茎Ｇのおおよそ全部に到達し、それらの器官の乾燥が抑制される。
【００７９】
実施の形態３の歯漂白装置１０によれば、実施の形態２の歯漂白装置１０により得られる（１）〜（１４）の効果に加えて、さらに以下の効果が得られる。
（１５）外側湾曲要素１２０と前歯ＴＦおよび奥歯ＴＲとの間に案内通路１０６が形成されることを意図して歯収容空間１０５の幅が設定される。この構成によれば、第１供給口１０３から案内通路１０６に供給された歯漂白流体が歯の並びに沿って流れやすい。このため、複数の歯における漂白の度合の差が大きくになりにくい。
【００８０】
（１６）また、上記（１５）の構成によれば、第１供給口１０３が歯により閉塞されにくい。このため、第１供給口１０３から案内通路１０６に向かう歯漂白流体の流れが妨げられにくい。このため、歯漂白装置１０が上記（１５）の構成を含まない場合と比較して歯漂白流体が歯に効率的に供給される。
【００８１】
（１７）また、上記（１５）の構成によれば、第２供給口１０４が歯により閉塞されにくい。このため、第２供給口１０４から案内通路１０６に向かう加湿気体の流れが妨げられにくい。このため、歯漂白装置１０が上記（１５）の構成を含まない場合と比較して加湿気体が歯茎等の器官に効率的に供給される。
【００８２】
（実施の形態４）
図６を参照して、実施の形態４の歯漂白装置１０の構成について説明する。実施の形態４の歯漂白装置１０は、実施の形態３の歯漂白装置１０に関する説明により明示されていない以下の構成を含む。
【００８３】
生成装置３０はハウジング３４、加湿器３３、および、放電部４０に加えて、商用電源７０から供給された電力を整流する電源部５１、ならびに、電源部５１から供給された電力の周波数を変化させて出力する駆動回路５２を備える。生成装置３０はさらに、駆動回路５２から供給された電圧を拡大する共振回路５３、および、共振回路５３から供給された電圧を高電圧に変換して出力する積層圧電トランス５４を備える。生成装置３０はさらに、放電部４０に空気を供給するエアーポンプ５５、ならびに、加湿器３３、駆動回路５２、放電部４０、および、エアーポンプ５５を制御する制御部５６を備える。ハウジング３４は、加湿器３３、放電部４０、電源部５１、駆動回路５２、共振回路５３、積層圧電トランス５４、エアーポンプ５５、および、制御部５６を収容している。
【００８４】
電源部５１は例えばダイオードブリッジを含み、商用電源７０から供給される交流電力を全波整流する整流回路、および、整流回路により整流された電力のノイズを除去するコンデンサを備える。
【００８５】
駆動回路５２は電源部５１と電気的に接続され、例えば単相フルブリッジ型のインバータを備える。このインバータは並列的に接続された２つのアームを備え、それぞれのアームは直列的に接続された２つのＭＯＳＦＥＴ（metal-oxide-semiconductor field-effect transistor）を備える。駆動回路５２は４つのＭＯＳＦＥＴのオンおよびオフを切り替えることにより、商用電源７０から供給される交流電力の周波数よりも高い周波数の交流電力を生成する。
【００８６】
共振回路５３は例えば直列型のＬＣ共振回路であり、駆動回路５２、リアクトル、および、積層圧電トランス５４の１次側電極が直列的に接続された回路構成を備え、駆動回路５２から供給された電力を拡大して積層圧電トランス５４に供給する。
【００８７】
積層圧電トランス５４は、共振回路５３と電気的に接続される上記１次側電極、および、放電部４０の電極と電気的に接続される２次側電極を備え、共振回路５３から供給された交流電力を変圧し、変圧した交流電力を放電部４０の電極に出力する。なお、放電部４０の電極の一例は図７に示される霧化電極４１である。
【００８８】
放電部４０は、積層圧電トランス５４から供給された電力により放電を発生させ、帯電微粒子水を生成する。放電部４０が発生させる放電は例えばコロナ放電である。放電により生成された帯電微粒子水に含まれるラジカル種はＯＨラジカルを含む。
【００８９】
エアーポンプ５５は、放電部４０の電極、および、その周囲に向けて空気を供給し得る箇所に配置されている。エアーポンプ５５が駆動することにより放電部４０の電極およびその周囲を通過するように空気が流れる。放電部４０の電極およびその周囲に供給された空気は、放電部４０により生成された帯電微粒子水とともに生成装置３０の第１供給通路３１を介して連結部２０の第１供給通路２１に流れ込む。
【００９０】
制御部５６は、駆動回路５２の各ＭＯＳＦＥＴに制御信号を出力することにより駆動回路５２の動作を制御する。制御部５６はさらに、エアーポンプ５５に制御信号を出力することによりエアーポンプ５５の動作を制御し、加湿器３３に制御信号を出力することにより加湿器３３の動作を制御する。制御部５６は例えば生成装置３０のスイッチ３７がオンされたことに基づいて駆動回路５２、エアーポンプ５５、および、加湿器３３の動作を開始させる。
【００９１】
実施の形態４の歯漂白装置１０によれば、実施の形態３の歯漂白装置１０により得られる（１）〜（１７）の効果に加えて、さらに以下の効果が得られる。
（１８）歯漂白装置１０はエアーポンプ５５を備える。この構成によれば、歯漂白流体がエアーポンプ５５の吐出圧力により生成装置３０からマウスピース１００に供給される。このため、生成装置３０から口腔内に向かう歯漂白流体の流れが適切に形成される。このため、歯漂白装置１０がエアーポンプ５５を含まない場合と比較して歯が一層効率的に漂白される。
【００９２】
（実施の形態５）
図７を参照して、実施の形態５の歯漂白装置１０の構成について説明する。実施の形態５の歯漂白装置１０は、実施の形態４の歯漂白装置１０に関する説明により明示されていない以下の構成を含む。
【００９３】
図７は放電部４０のモデルの一例を示している。放電部４０は、帯電微粒子水を生成する霧化電極４１、霧化電極４１と空間を隔てて配置される対向電極４２、霧化電極４１を冷却する冷却モジュール４４、および、冷却モジュール４４を冷却する冷却フィン４５を備える。
【００９４】
霧化電極４１を構成する材料の一例は導電性を有する金属である。霧化電極４１の胴部４１Ｂは冷却モジュール４４を構成する冷却用絶縁板４４Ａに設置されている。胴部４１Ｂの先端には例えば球状の頭部４１Ａが形成される。胴部４１Ｂの形状は例えば冷却モジュール４４側から頭部４１Ａ側に向かうにつれて細くなる円錐台形状である。
【００９５】
対向電極４２を構成する材料の一例は導電性を有する金属である。対向電極４２は接地されている。対向電極４２には例えば半球形状に類似した形状を有する湾曲部分が形成されている。この湾曲部分には、霧化電極４１と対向電極４２との間に存在する空間、および、対向電極４２の外側に存在する空間に連通する放出口４３が形成されている。
【００９６】
冷却モジュール４４は、霧化電極４１の熱を吸収する上記冷却用絶縁板４４Ａ、ならびに、冷却用絶縁板４４Ａおよび霧化電極４１を冷却するペルチェモジュール４４Ｂを備える。冷却用絶縁板４４Ａを構成する材料の一例は熱伝導性および耐電性が高い材料であり、その一例はアルミナである。冷却用絶縁板４４Ａは霧化電極４１とペルチェモジュール４４Ｂとの間に配置されている。
【００９７】
冷却フィン４５を構成する材料の一例は熱伝導性が高い材料であり、その一例はアルミナである。冷却フィン４５は冷却用絶縁板４４Ａとの間にペルチェモジュール４４Ｂを挟み込むようにペルチェモジュール４４Ｂに取り付けられている。このため、ペルチェモジュール４４Ｂの熱が冷却フィン４５を介して放出される。
【００９８】
制御部５６は放電部４０の一部であるペルチェモジュール４４Ｂと電気的に接続され、ペルチェモジュール４４Ｂの動作を制御する。ペルチェモジュール４４Ｂが動作することにより霧化電極４１がペルチェモジュール４４Ｂにより冷却される。このため、霧化電極４１の頭部４１Ａの表面および胴部４１Ｂの表面に水が付着し、霧化電極４１が結露する。霧化電極４１が結露した状態において積層圧電トランス５４から霧化電極４１に電力が供給されることにより、霧化電極４１の頭部４１Ａの表面および胴部４１Ｂの表面に付着している水がクーロン力により頭部４１Ａの表面に集結し、頭部４１ＡにテイラーコーンＣが形成される。
【００９９】
頭部４１ＡにテイラーコーンＣが形成された状態において霧化電極４１と対向電極４２との間に放電が発生したとき、テイラーコーンＣからラジカル種を含む帯電微粒子水が生成される。この帯電微粒子水はエアーポンプ５５（図６参照）から供給された空気とともに対向電極４２の放出口４３を介して生成装置３０の第１供給通路３１（図２参照）に流れ込む。
【０１００】
実施の形態５の歯漂白装置１０によれば、実施の形態４の歯漂白装置１０により得られる（１）〜（１８）の効果に加えて、さらに以下の効果が得られる。
（１９）放電部４０は冷却モジュール４４により霧化電極４１を冷却することにより霧化電極４１に水を供給する。この構成によれば、例えば吸水用のタンクから霧化電極４１に水を供給する構成と比較して生成装置３０を小型化しやすい。
【０１０１】
（実施の形態６）
図８〜図１１を参照して、実施の形態６の歯漂白装置１０の構成について説明する。実施の形態６の歯漂白装置１０は、図１に示される実施の形態１の歯漂白装置１０のマウスピース１００に代えて、図８に示されるマウスピース２００を備える。
【０１０２】
マウスピース２００は例えば、その平面視における左右方向の中心線に対して左右対称の形状を有し、ユーザーの年齢等に応じた様々な大きさを取り得る。マウスピース２００を構成する材料の一例はシリコーンゴムである。
【０１０３】
マウスピース２００はマウスピース２００の内部の空間とマウスピース２００の外部とを連通する第１供給口２０３および第２供給口２０４、ならびに、連結部２０が接続される接続部２１０を備える。マウスピース２００はさらに、マウスピース２００の内部に供給された歯漂白流体を第１供給口２０３に案内する第１供給通路２０１、および、マウスピース２００の内部に供給された加湿気体を第２供給口２０４に案内する第２供給通路２０２を備える。第１供給通路２０１および第２供給通路２０２はそれぞれの通路を流れる流体が混合しないように相互に区画されている。
【０１０４】
マウスピース２００はさらに、歯漂白流体の流れを案内できるように湾曲した湾曲要素２２０、接続部２１０と湾曲要素２２０とを繋げる中空の胴２３０、および、胴２３０の内部に配置される区画要素２７０を備える。マウスピース２００はさらに、湾曲要素２２０から突出した２つの桟２４０、胴２３０の周囲から突出した２つのリム２５０、および、湾曲要素２２０とリム２５０との間に形成された２つのリブ２６０を備える。各桟２４０は湾曲要素２２０の形状に倣って湾曲している。
【０１０５】
マウスピース２００はさらに、湾曲要素２２０の背面、胴２３０の頂面、および、一方のリム２５０の側面に囲まれた上側の唇収容空間２０５、ならびに、湾曲要素２２０の背面、胴２３０の底面、および、一方のリム２５０の側面に囲まれた下側の唇収容空間２０５を備える。
【０１０６】
一例によれば、接続部２１０、湾曲要素２２０、胴２３０、２つの桟２４０、２つのリム２５０、および、２つのリブ２６０は一体成形された樹脂要素であり、区画要素２７０はその樹脂要素とは別に成形された樹脂要素である。
【０１０７】
図９はマウスピース２００の分解斜視構造を示している。
胴２３０の一例はオーバルチューブである。胴２３０および湾曲要素２２０の内部には区画要素２７０が挿入される要素収容空間２８０が形成されている。要素収容空間２８０におけるガイド面２２１側の部分は、胴２３０の中心軸線の方向において接続部２１０側からガイド面２２１側に向かうにつれて中心軸線と直交する方向の外側に向けて傾斜している。
【０１０８】
区画要素２７０は、胴２３０の内面および湾曲要素２２０の内面との間に第２供給通路２０２が形成されるように区画要素２７０の形状を保持するための複数の支持突起２７１、ならびに、第１供給通路２０１および第１供給口２０３を備える。区画要素２７０はさらに、第２供給口２０４を第１供給口２０３とは異なる方向に指向させる傾斜部２７２を備える。
【０１０９】
傾斜部２７２は区画要素２７０のうちの第１供給口２０３側の開口部分の外周に形成され、区画要素２７０の中心軸線の方向において接続部２１０側から第１供給口２０３側に向かうにつれて中心軸線と直交する方向の外側に向けて傾斜している。
【０１１０】
区画要素２７０が要素収容空間２８０に挿入され、支持突起２７１が胴２３０の内面に密着することにより区画要素２７０が胴２３０に固定され、図８に示されるマウスピース２００が構成される。
【０１１１】
図８に示されるとおり、マウスピース２００によれば、要素収容空間２８０が区画要素２７０により区画され、胴２３０の内面および湾曲要素２２０の内面と区画要素２７０の外面との間に存在する要素収容空間２８０の一部が第２供給通路２０２および第２供給口２０４を構成する。
【０１１２】
接続部２１０はマウスピース２００の要素収容空間２８０とマウスピース２００の外部とを連通する接続通路２１１を備える。第１供給通路２０１は接続通路２１１と第１供給口２０３とを連通する。第２供給通路２０２は接続通路２１１と第２供給口２０４とを連通する。
【０１１３】
湾曲要素２２０は歯漂白流体を案内するガイド面２２１を備える。要素収容空間２８０の開口である第２供給口２０４はガイド面２２１に開口し、区画要素２７０を隔てて第１供給口２０３の周囲を取り囲んでいる。
【０１１４】
上側の桟２４０は湾曲要素２２０の上側の縁に形成され、湾曲要素２２０の内方に向けて突出している。下側の桟２４０は湾曲要素２２０の下側の縁に形成され、湾曲要素２２０の内方に向けて突出している。各桟２４０の先端にはＲ部分が形成されている。
【０１１５】
２つのリム２５０は胴２３０の中心軸線の方向において隙間を隔てて対向している。２つのリブ２６０は湾曲要素２２０の背面および胴２３０の側面に沿うように湾曲要素２２０の背面からリム２５０までにわたり形成されている。
【０１１６】
図１０に示されるとおり、第１供給口２０３は区画要素２７０の中心軸線の方向を指向している。一方、第２供給口２０４が指向する方向は、区画要素２７０の中心軸線の方向において接続部２１０側からガイド面２２１側に向かうにつれて中心軸線と直交する方向の外側に向かう方向である。
【０１１７】
図１１はマウスピース２００の平面構造を示している。
連結部２０の一例は、実施の形態２と同様に内管２３および外管２４により構成されるホースである。マウスピース２００の接続通路２１１に連結部２０が挿入された状態によれば、マウスピース２００の通路および連結部２０の通路が次の接続関係を形成する。マウスピース２００の第１供給通路２０１は、連結部２０の第１供給通路２１と連通し、連結部２０の第２供給通路２２とは連通しない。マウスピース２００の第２供給通路２０２は、連結部２０の第２供給通路２２と連通し、連結部２０の第１供給通路２１とは連通しない。
【０１１８】
図１０はマウスピース２００がユーザーの口腔に装着された状態を示している。
ユーザーは、上側の唇収容空間２０５に上唇ＲＵを配置し、下側の唇収容空間２０５に下唇ＲＬを配置し、上唇ＲＵと歯茎Ｇとの間に上側の桟２４０を配置し、下唇ＲＬと歯茎Ｇとの間に下側の桟２４０を配置することによりマウスピース２００を保持する。
【０１１９】
マウスピース２００が口腔に装着された状態によれば、湾曲要素２２０、胴２３０、一方のリム２５０、および、２つのリブ２６０がそれぞれ上唇ＲＵおよび下唇ＲＬと接触する。また、上側の桟２４０が上顎の歯茎Ｇと接触することにより、湾曲要素２２０のガイド面２２１と上顎の歯および歯茎Ｇとの間に案内通路２０６が形成される。また、下側の桟２４０が下顎の歯茎Ｇと接触することにより、湾曲要素２２０のガイド面２２１と下顎の歯および歯茎Ｇとの間に案内通路２０６が形成される。各桟２４０のＲ部分は歯茎Ｇにソフトな接触感を与える。
【０１２０】
図１０および図１１を参照して、歯漂白装置１０の動作について説明する。
図１０に示されるとおり、連結部２０の第１供給通路２１からマウスピース２００の第１供給通路２０１に歯漂白流体が供給される。第１供給通路２０１の歯漂白流体は第１供給口２０３から案内通路２０６に供給される。このため、歯漂白流体が前歯ＴＦまたは奥歯ＴＲに到達し、その歯が漂白される。
【０１２１】
また、連結部２０の第２供給通路２２からマウスピース２００の第２供給通路２０２に加湿気体が供給される。第２供給通路２０２の加湿気体は第２供給口２０４から歯茎Ｇが存在する方向に向けて案内通路２０６に供給される。このため、加湿気体が上顎の歯茎Ｇおよび下顎の歯茎Ｇに到達し、その器官の乾燥が抑制される。
【０１２２】
図１１に示されるとおり、案内通路２０６の歯漂白流体は、湾曲要素２２０のガイド面２２１に案内されることにより歯の並びに沿うように案内通路２０６を流れる。このため、歯漂白流体が上顎の歯および下顎の歯のおおよそ全部に到達し、それらの歯が漂白される。
【０１２３】
また、案内通路２０６の加湿気体は湾曲要素２２０のガイド面２２１に案内されることにより歯の並びに沿うように案内通路２０６を流れる。このため、加湿気体が上顎の歯茎Ｇおよび下顎の歯茎Ｇのおおよそ全部に到達し、それらの器官の乾燥が抑制される。
【０１２４】
実施の形態６の歯漂白装置１０によれば、実施の形態５の歯漂白装置１０により得られる（１）〜（１９）の効果に加えて、さらに以下の効果が得られる。
（２０）マウスピース２００は上顎の歯および下顎の歯との間に案内通路２０６を形成し得る湾曲要素２２０を備える。この構成によれば、ユーザーがマウスピース２００を口腔に装着することにより、上顎の歯および下顎の歯が併せて漂白される。このため、マウスピース２００が湾曲要素２２０を含まない場合と比較して歯を漂白するためにかかる時間が短縮される。
【０１２５】
（２１）第２供給口２０４が第１供給口２０３と異なる方向を指向している。この構成によれば、マウスピース２００から口腔内に供給された歯漂白流体および加湿気体が混合しにくい。このため、例えば歯漂白流体に含まれる有効成分が加湿気体と混合することにより失活するおそれが低減される。このため、第１供給口２０３および第２供給口２０４が同じ方向を指向する場合と比較して歯が効率的に漂白される。
【０１２６】
（２２）第２供給口２０４が歯茎Ｇに加湿気体を供給し得る方向を指向している。この構成によれば、第２供給口２０４から口腔内に供給された加湿気体が歯茎Ｇに到達しやすい。このため、第２供給口２０４が上記と別の方向を指向する場合と比較して歯茎Ｇの乾燥が効率的に抑制される。
【０１２７】
（実施の形態７）
図１２および図１３を参照して、実施の形態７の歯漂白装置１０の構成について説明する。実施の形態７の歯漂白装置１０は、図１に示される実施の形態１の歯漂白装置１０のマウスピース１００に代えて、図１２に示されるマウスピース３００を備える。
【０１２８】
マウスピース３００は、実施の形態６のマウスピース２００と共通する部分である接続部２１０、湾曲要素２２０、胴２３０、２つのリム２５０、および、２つのリブ２６０を備える。マウスピース３００は、同じく実施の形態６のマウスピース２００と共通する部分である第１供給通路２０１、第２供給通路２０２、第１供給口２０３、および、第２供給口２０４を備える。マウスピース３００は以下の点において実施の形態６のマウスピース２００と相違している。
【０１２９】
マウスピース３００は、湾曲要素２２０から突出した２つの咬合要素３１０、および、同じく湾曲要素２２０から突出した２つの厚肉部３２０を備える。各咬合要素３１０および各厚肉部３２０は湾曲要素２２０の形状に倣って湾曲している。
【０１３０】
一方の咬合要素３１０は、第１供給口２０３の一方の縁から湾曲要素２２０の一方の端部までにわたり形成され、湾曲要素２２０の内方に向けてガイド面２２１に対して突出している。他方の咬合要素３１０は、第１供給口２０３の他方の縁から湾曲要素２２０の他方の端部までにわたり形成され、湾曲要素２２０の内方に向けてガイド面２２１に対して突出している。
【０１３１】
一方の厚肉部３２０は湾曲要素２２０の一方の端部に形成され、湾曲要素２２０の内方に向けてガイド面２２１に対して突出している。他方の厚肉部３２０は湾曲要素２２０の他方の端部に形成され、湾曲要素２２０の内方に向けてガイド面２２１に対して突出している。
【０１３２】
図１３はマウスピース３００がユーザーの口腔に装着された状態を示している。
ユーザーは上顎の歯および下顎の歯で各咬合要素３１０を咬むことによりマウスピース３００を保持する。マウスピース３００が口腔に装着された状態によれば、咬合要素３１０よりも上側のガイド面２２１が上顎の歯の表面および上顎の歯茎Ｇの表面との間に案内通路３３０を形成する。また、咬合要素３１０よりも下側のガイド面２２１が下顎の歯の表面および下顎の歯茎Ｇの表面との間に案内通路３３０を形成する。
【０１３３】
各厚肉部３２０は、上顎の歯茎Ｇのうちの第１大臼歯および第２大臼歯の付け根の部分、ならびに、下顎の歯茎Ｇのうちの第１大臼歯および第２大臼歯の付け根の部分に接触する。このため、案内通路３３０が形成された状態が保持されやすい。
【０１３４】
図１３を参照して、歯漂白装置１０の動作について説明する。
連結部２０の第１供給通路２１からマウスピース３００の第１供給通路２０１に歯漂白流体が供給される。第１供給通路２０１の歯漂白流体は第１供給口２０３から案内通路３３０に供給される。また、連結部２０の第２供給通路２２からマウスピース３００の第２供給通路２０２に加湿気体が供給される。第２供給通路２０２の加湿気体は第２供給口２０４から歯茎Ｇが存在する方向に向けて案内通路３３０に供給される。案内通路３３０に供給された歯漂白流体および加湿気体は実施の形態６の案内通路２０６における歯漂白流体および加湿気体の流れとおおよそ同じ流れを形成する。
【０１３５】
実施の形態７の歯漂白装置１０によれば、実施の形態６の歯漂白装置１０により得られる（１）〜（２２）の効果に加えて、さらに以下の効果が得られる。
（２３）マウスピース３００は咬合要素３１０を備える。この構成によれば、ガイド面２２１と上顎の歯との間に形成される案内通路３３０と、ガイド面２２１と下顎の歯との間に形成される案内通路３３０とが咬合要素３１０により区画される。このため、上顎および下顎の歯の群毎に歯漂白流体の流れが形成され、マウスピース３００が咬合要素３１０を含まない場合と比較して歯の並びに沿う歯漂白流体の流れが安定する。
【０１３６】
（実施の形態８）
図１４および図１５を参照して、実施の形態８の歯漂白装置１０の構成について説明する。実施の形態８の歯漂白装置１０は、図１に示される実施の形態１の歯漂白装置１０の連結部２０およびマウスピース１００に代えて、図１４に示される連結部６０およびマウスピース４００を備える。なお、実施の形態８の歯漂白装置１０によれば、実施の形態６のマウスピース２００により得られる効果と同様の効果が得られる。
【０１３７】
連結部６０は２本の管状の物体である第１連結部６３および第２連結部６４を備える。図示された例によれば、第１連結部６３および第２連結部６４が一体化されている。第１連結部６３は生成装置３０から供給された歯漂白流体をマウスピース４００に案内する第１供給通路６１を備える。第２連結部６４は生成装置３０から供給された加湿気体をマウスピース４００に案内する第２供給通路６２を備える。第１供給通路６１および第２供給通路６２はそれぞれの通路を流れる流体が混合しないように相互に区画されている。
【０１３８】
ハウジング３４は、第１連結部６３が接続される第１接続部３５Ａ、および、第２連結部６４が接続される第２接続部３５Ｂを備える。第１接続部３５Ａは生成装置３０の第１供給通路３１と生成装置３０の外部とを連通する第１接続通路３６Ａを備える。第２接続部３５Ｂは生成装置３０の第２供給通路３２と生成装置３０の外部とを連通する第２接続通路３６Ｂを備える。
【０１３９】
生成装置３０の第１接続部３５Ａおよび第２接続部３５Ｂに連結部６０が挿入された状態によれば、生成装置３０の通路および連結部６０の通路が次の接続関係を形成する。生成装置３０の第１供給通路３１は、第１連結部６３の第１供給通路６１と連通し、第２連結部６４の第２供給通路６２とは連通しない。生成装置３０の第２供給通路３２は、第２連結部６４の第２供給通路６２と連通し、第１連結部６３の第１供給通路６１とは連通しない。
【０１４０】
マウスピース４００は、次の点において実施の形態６のマウスピース２００と相違し、それ以外の点において実施の形態６のマウスピース２００と実質的に同じ構成を備える。マウスピース４００は、マウスピース２００の接続部２１０に代えて接続部４１０を備え、マウスピース２００の区画要素２７０に代えて区画要素４４０を備える。マウスピース４００はさらに、第１供給口２０３に代えて第１供給口４０３を備え、第２供給口２０４に代えて第２供給口４０４を備え、第１供給通路２０１に代えて第１供給通路４０１を備え、第２供給通路２０２に代えて第２供給通路４０２を備える。
【０１４１】
一例によれば、接続部４１０、湾曲要素２２０、胴２３０、２つの桟２４０、２つのリム２５０、および、２つのリブ２６０は一体成形された樹脂要素であり、区画要素４４０はその樹脂要素とは別に成形された樹脂要素である。
【０１４２】
接続部４１０は、第１連結部６３が接続される第１接続部４２０、および、第２連結部６４が接続される第２接続部４３０を備える。第１接続部４２０は胴２３０の要素収容空間２８０とマウスピース４００の外部とを連通する第１接続通路４２１を備える。第２接続部４３０は胴２３０の要素収容空間２８０とマウスピース４００の外部とを連通する第２接続通路４３１を備える。
【０１４３】
マウスピース４００の接続部４１０に連結部６０が挿入された状態によれば、マウスピース４００の通路および連結部６０の通路が次の接続関係を形成する。マウスピース４００の第１供給通路４０１は、第１連結部６３の第１供給通路６１と連通し、第２連結部６４の第２供給通路６２とは連通しない。マウスピース４００の第２供給通路４０２は、第２連結部６４の第２供給通路６２と連通し、第１連結部６３の第１供給通路６１とは連通しない。
【０１４４】
図１５はマウスピース４００の分解斜視構造を示している。
区画要素４４０は、胴２３０の内面および湾曲要素２２０の内面との間に第２供給通路４０２が形成されるように区画要素４４０の形状を保持するための複数の支持突起４４１、ならびに、第１供給通路４０１および第１供給口４０３を備える。区画要素４４０はさらに、第２供給口４０４を第１供給口４０３とは異なる方向に指向させる傾斜部４４２を備える。傾斜部４４２は実施の形態６の傾斜部２７２と実質的に同じ構成を備える。
【０１４５】
区画要素４４０が要素収容空間２８０に挿入され、支持突起４４１が胴２３０の内面に密着することにより区画要素４４０が胴２３０に固定され、図１４に示されるマウスピース４００が構成される。
【０１４６】
図１４に示されるとおり、マウスピース４００によれば、要素収容空間２８０が区画要素４４０により区画され、胴２３０の内面および湾曲要素２２０の内面と区画要素４４０の外面との間に存在する要素収容空間２８０の一部が第２供給通路４０２および第２供給口４０４を構成する。第１供給通路４０１は第１接続通路４２１と第１供給口４０３とを連通する。第２供給通路４０２は第２接続通路４３１と第２供給口４０４とを連通する。要素収容空間２８０の開口である第２供給口４０４はガイド面２２１に開口し、区画要素４４０を隔てて第１供給口４０３の周囲を取り囲んでいる。
【０１４７】
図１６を参照して、歯漂白装置１０の動作について説明する。
連結部６０の第１供給通路６１からマウスピース４００の第１供給通路４０１に歯漂白流体が供給される。第１供給通路４０１の歯漂白流体は第１供給口４０３から案内通路２０６に供給される。また、連結部６０の第２供給通路６２からマウスピース４００の第２供給通路４０２に加湿気体が供給される。第２供給通路４０２の加湿気体は第２供給口４０４から歯茎Ｇが存在する方向に向けて案内通路２０６に供給される。案内通路２０６に供給された歯漂白流体および加湿気体は実施の形態６の案内通路２０６における歯漂白流体および加湿気体の流れとおおよそ同じ流れを形成する。
【０１４８】
（実施の形態９）
図１７〜図１９Ｂを参照して、実施の形態９の歯漂白装置１０の構成について説明する。実施の形態９の歯漂白装置１０は、図１に示される実施の形態１の歯漂白装置１０のマウスピース１００に代えて、図１７に示されるマウスピース５００を備える。
【０１４９】
マウスピース５００は例えば、その平面視における左右方向の中心線に対して左右対称の形状を有し、ユーザーの年齢等に応じた様々な大きさを取り得る。マウスピース５００を構成する材料の一例はシリコーンゴムである。
【０１５０】
マウスピース５００は、連結部２０（図１８参照）が接続される接続部５１０、歯漂白流体の流れを案内できるように湾曲した外側湾曲要素５２０、および、接続部５１０と外側湾曲要素５２０とを繋げる中空の胴５３０を備える。マウスピース５００はさらに、外側湾曲要素５２０から突出した２つの桟５４０、胴５３０の周囲から突出した２つのリム５５０、外側湾曲要素５２０から突出した咬合要素５６０、および、咬合要素５６０から突出した内側湾曲要素５７０を備える。胴５３０の一例はオーバルチューブである。各桟５４０、咬合要素５６０、および、内側湾曲要素５７０は、外側湾曲要素５２０の形状に倣って湾曲している。
【０１５１】
マウスピース５００はさらに、歯収容空間５０５、上側の唇収容空間５０７、および、下側の唇収容空間５０７を備える。歯収容空間５０５は、外側湾曲要素５２０、咬合要素５６０、および、内側湾曲要素５７０に囲まれて形成されている。上側の唇収容空間５０７は、外側湾曲要素５２０の背面、胴５３０の頂面、および、一方のリム５５０の側面に囲まれて形成されている。下側の唇収容空間５０７は、外側湾曲要素５２０の背面、胴５３０の底面、および、一方のリム５５０の側面に囲まれて形成されている。
【０１５２】
図１９Ａに示されるとおりマウスピース５００はさらに、第１供給通路５０１、第２供給通路５０２、２つの第１供給口５０３、および、２つの第２供給口５０４を備える。第１供給通路５０１は、外側湾曲要素５２０および胴５３０の内部に形成される入口供給通路５０Ａ、および、咬合要素５６０の内部に形成される出口供給通路５０Ｂを含む。第２供給通路５０２は外側湾曲要素５２０および胴５３０の内部に形成されている。第１供給口５０３はマウスピース５００の内部の空間である出口供給通路５０Ｂとマウスピース５００の外部とを連通する。第２供給口５０４はマウスピース５００の内部の空間である第２供給通路５０２とマウスピース５００の外部とを連通する。
【０１５３】
図１７および図１８に示されるとおり、出口供給通路５０Ｂおよび第１供給口５０３は例えば咬合要素５６０の延長方向に沿うように形成される。第２供給口５０４は例えば外側湾曲要素５２０の延長方向に沿うように形成される。
【０１５４】
図１８に示されるとおり、接続部５１０は入口供給通路５０Ａおよび第２供給通路５０２とマウスピース５００の外部とを連通する接続通路５１１を備える。第１供給通路５０１は接続通路５１１と第１供給口５０３とを連通する。第２供給通路５０２は接続通路５１１と第２供給口５０４とを連通する。
【０１５５】
図１７に示されるとおり、外側湾曲要素５２０は歯漂白流体を案内するガイド面５２１を備える。ガイド面５２１における咬合要素５６０よりも上側の部分に一方の第２供給口５０４が開口している。ガイド面５２１のうちの咬合要素５６０よりも下側の部分に他方の第２供給口５０４（図１９Ａ参照）が開口している。
【０１５６】
上側の桟５４０は外側湾曲要素５２０の上側の縁に形成され、外側湾曲要素５２０の内方に向けて突出している。下側の桟５４０は外側湾曲要素５２０の下側の縁に形成され、外側湾曲要素５２０の内方に向けて突出している。各桟５４０の先端にはＲ部分が形成されている。２つのリム５５０は胴５３０の中心軸線の方向において隙間を隔てて対向している。
【０１５７】
咬合要素５６０は外側湾曲要素５２０の内方に向けて突出し、相対的に表裏の関係を形成する上側面５６１および下側面５６２を備える。内側湾曲要素５７０は咬合要素５６０の上側面５６１からマウスピース５００の高さ方向に突出した要素であり、外側湾曲要素５２０のガイド面５２１と対向するガイド面５７１を備える。
【０１５８】
図１９Ａおよび図１９Ｂに示されるとおり、上側の第１供給口５０３が咬合要素５６０の上側面５６１に開口し、下側の第１供給口５０３が咬合要素５６０の下側面５６２に開口している。上側の第１供給口５０３および下側の第１供給口５０３は咬合要素５６０の内部に形成される出口供給通路５０Ｂを隔てて互いに対向している。出口供給通路５０Ｂの流路面積は、連結部２０の第１供給通路２１の流路面積、入口供給通路５０Ａの流路面積、および、第１供給口５０３の流路面積よりも広い。
【０１５９】
咬合要素５６０における第１供給口５０３の形成位置は、咬合要素５６０が外側湾曲要素５２０のガイド面５２１から突出する方向において外側湾曲要素５２０寄りの位置に設定されている。
【０１６０】
図１８はマウスピース５００の平面構造を示している。
連結部２０の一例は実施の形態２と同様に内管２３および外管２４により構成されるホースである。マウスピース５００の接続通路５１１に連結部２０が挿入された状態によれば、マウスピース５００の通路および連結部２０の通路が次の接続関係を形成する。マウスピース５００の第１供給通路５０１は、連結部２０の第１供給通路２１と連通し、連結部２０の第２供給通路２２とは連通しない。マウスピース５００の第２供給通路５０２は、連結部２０の第２供給通路２２と連通し、連結部２０の第１供給通路２１とは連通しない。
【０１６１】
図１９Ａは、マウスピース５００を装着したユーザーの口腔における前歯ＴＦおよびその周囲を示している。図１９Ｂは、マウスピース５００を装着したユーザーの口腔における奥歯ＴＲおよびその周囲を示している。
【０１６２】
歯収容空間５０５の高さは例えば、前歯ＴＦおよび奥歯ＴＲにおける歯茎Ｇとの付け根の部分が歯収容空間５０５に収容されるように設定される。なお、歯収容空間５０５の高さは、咬合要素５６０の上側面５６１から外側湾曲要素５２０の頂面または内側湾曲要素５７０の頂面までの距離である。
【０１６３】
歯収容空間５０５の幅は例えば、外側湾曲要素５２０のガイド面５２１と前歯ＴＦおよび奥歯ＴＲとの間に適度な大きさの隙間である案内通路５０６が形成されるように設定される。なお、歯収容空間５０５の幅は、咬合要素５６０がガイド面５２１から突出している方向における外側湾曲要素５２０のガイド面５２１と内側湾曲要素５７０のガイド面５７１との距離である。
【０１６４】
歯収容空間５０５の開口の幅は例えば、外側湾曲要素５２０のガイド面５２１、および、内側湾曲要素５７０のガイド面５７１が、前歯ＴＦおよび奥歯ＴＲにおける歯茎Ｇとの付け根の部分と適度な圧力で接触するように設定される。なお、歯収容空間５０５の開口の幅は、咬合要素５６０がガイド面５２１から突出している方向における桟５４０の先端と内側湾曲要素５７０のガイド面５７１との距離である。
【０１６５】
図１９Ａに示されるとおり、マウスピース５００が口腔に装着された状態によれば、上唇ＲＵが上側の唇収容空間５０７に配置され、下唇ＲＬが下側の唇収容空間５０７に配置される。また、上顎の前歯ＴＦの切縁が咬合要素５６０の上側面５６１に接触し、下顎の前歯ＴＦの切縁が咬合要素５６０の下側面５６２に接触する。
【０１６６】
外側湾曲要素５２０のガイド面５２１は前歯ＴＦとの間に案内通路５０６を形成する。上側の桟５４０は上顎の歯茎Ｇにおける前歯ＴＦの付け根の部分の表面に接触する。下側の桟５４０は下顎の歯茎Ｇにおける前歯ＴＦの付け根の部分の表面に密着する。内側湾曲要素５７０のガイド面５７１は、上顎の歯茎Ｇにおける前歯ＴＦの付け根の部分の裏面、および、下顎の歯茎Ｇにおける前歯ＴＦの付け根の部分の裏面に密着する。各桟５４０のＲ部分は歯茎Ｇにソフトな接触感を与える。
【０１６７】
図１９Ｂに示されるとおり、マウスピース５００が口腔に装着された状態によれば、上顎の奥歯ＴＲの咬合面が咬合要素５６０の上側面５６１に接触し、下顎の奥歯ＴＲの咬合面が咬合要素５６０の下側面５６２に接触する。
【０１６８】
外側湾曲要素５２０のガイド面５２１は奥歯ＴＲとの間に案内通路５０６を形成する。上側の桟５４０は上顎の歯茎Ｇにおける奥歯ＴＲの付け根の部分の表面に密着する。下側の桟５４０は下顎の歯茎Ｇにおける奥歯ＴＲの付け根の部分の表面に密着する。内側湾曲要素５７０のガイド面５７１は、上顎の歯茎Ｇにおける奥歯ＴＲの付け根の部分の裏面、および、下顎の歯茎Ｇにおける奥歯ＴＲの付け根の部分の裏面に密着する。
【０１６９】
図１９Ａおよび図１９Ｂを参照して、歯漂白装置１０の動作について説明する。
図１９Ａに示されるとおり、連結部２０の第１供給通路２１からマウスピース５００の第１供給通路５０１である入口供給通路５０Ａに歯漂白流体が供給される。第１供給通路５０１の歯漂白流体は入口供給通路５０Ａから出口供給通路５０Ｂに流れ込むことにより減速する。出口供給通路５０Ｂの歯漂白流体は第１供給口５０３の中間部分から案内通路５０６に供給される。このため、歯漂白流体が前歯ＴＦに到達し、その歯が漂白される。
【０１７０】
また、連結部２０の第２供給通路２２からマウスピース５００の第２供給通路５０２に加湿気体が供給される。第２供給通路５０２の加湿気体は第２供給口５０４の中間部分から案内通路５０６に供給される。このため、加湿気体が前歯ＴＦの根本に存在する歯茎Ｇに到達し、その器官の乾燥が抑制される。
【０１７１】
図１９Ｂに示されるとおり、第１供給通路５０１の歯漂白流体は第１供給口５０３の中間部分よりも端部側の部分から案内通路５０６に供給される。このため、歯漂白流体が奥歯ＴＲに到達し、その歯が漂白される。
【０１７２】
また、第２供給通路５０２の加湿気体は第２供給口５０４の中間部分よりも端部側の部分から案内通路５０６に供給される。このため、加湿気体が奥歯ＴＲの根本に存在する歯茎Ｇに到達し、その器官の乾燥が抑制される。
【０１７３】
案内通路５０６の歯漂白流体は、外側湾曲要素５２０のガイド面５２１に案内されることにより歯の並びに沿うように案内通路５０６を流れる。このため、歯漂白流体が上顎の歯および下顎の歯のおおよそ全部に到達し、それらの歯が漂白される。また、案内通路５０６の加湿気体は外側湾曲要素５２０のガイド面５２１に案内されることにより歯の並びに沿うように案内通路５０６を流れる。このため、加湿気体が上顎の歯茎Ｇおよび下顎の歯茎Ｇのおおよそ全部に到達し、それらの器官の乾燥が抑制される。
【０１７４】
実施の形態９の歯漂白装置１０によれば、実施の形態８の歯漂白装置１０により得られる（１）〜（１２）の効果、および、（１４）〜（２３）の効果に加えて、さらに以下の効果が得られる。
【０１７５】
（２４）マウスピース５００によれば、咬合要素５６０の内部に出口供給通路５０Ｂが形成され、咬合要素５６０の上側面５６１および下側面５６２のそれぞれに第１供給口５０３が開口されている。この構成によれば、マウスピース５００の内部の歯漂白流体が出口供給通路５０Ｂおよび第１供給口５０３を通過するときに、その歯漂白流体の流れの方向が大きく変化する。このため、出口供給通路５０Ｂに歯漂白流体が滞留しやすい。このため、出口供給通路５０Ｂに存在する有効成分が歯漂白流体中に拡散しやすい。このため、有効成分の濃度の差が小さい歯漂白流体が第１供給口５０３から案内通路５０６に供給される。このため、１つの歯の各部分における漂白の度合、および、互いに異なる歯における漂白の度合に差が生じにくい。
【０１７６】
（２５）出口供給通路５０Ｂが咬合要素５６０の内部に形成されている。この構成によれば、出口供給通路５０Ｂと同じ容積を有する通路が外側湾曲要素５２０の内部に形成される場合と比較して、外側湾曲要素５２０の厚みを薄く設定できる余地が大きい。そして、外側湾曲要素５２０の厚みが薄く設定される場合にはユーザーがマウスピース５００を装着しやすくなる。
【０１７７】
（変形例）
各実施の形態に関する説明は本発明の歯漂白装置が取り得る形態の例示であり、本発明の歯漂白装置が取り得る形態を制限することを意図していない。本発明の歯漂白装置は各実施の形態以外に例えば以下に示される各実施の形態の変形例を取り得る。
【０１７８】
・実施の形態１〜５の連結部２０の変形例によれば、連結部２０の第１供給通路２１が直接的にマウスピース１００の第１供給口１０３に接続される。なお、実施の形態２〜９の連結部２０，６０についても同様の変形が成立する。
【０１７９】
・実施の形態１〜５の連結部２０の変形例によれば、連結部２０の第２供給通路２２が直接的にマウスピース１００の第２供給口１０４に接続される。なお、実施の形態２〜９の連結部２０，６０についても同様の変形が成立する。
【０１８０】
・実施の形態１〜５のマウスピース１００の変形例によれば、複数の第１供給口１０３および複数の第２供給口１０４が形成される。
・実施の形態１〜５の歯漂白装置１０の変形例は、２つのマウスピース１００、および、２つの連結部２０を備える。一方のマウスピース１００は上顎の歯を漂白するために用いられる。他方のマウスピース１００は下顎の歯を漂白するために用いられる。一方のマウスピース１００は一方の連結部２０により生成装置３０と連結される。他方のマウスピース１００は他方の連結部２０により生成装置３０と連結される。この変形例の歯漂白装置１０によれば、ユーザーが２つのマウスピース１００を併せて装着することにより、上顎の歯および下顎の歯を同時に漂白できる。
【０１８１】
・上記変形例をさらに変形した歯漂白装置１０は、２つの連結部２０に代えて、２つのマウスピース１００と生成装置３０とを連結する共通の連結部を備える。
・実施の形態４の歯漂白装置１０の変形例は電動式のエアーポンプ５５に代えて手動式のエアーポンプを備える。
【０１８２】
・実施の形態４の生成装置３０の変形例は電源部５１に代えて１次電池または２次電池を備える。
・実施の形態４の共振回路５３の変形例は、積層圧電トランス５４の２次側電極、リアクトル、および、放電部４０の霧化電極４１が直列的に接続された回路構成を備える。
【０１８３】
・実施の形態５の放電部４０の変形例は冷却モジュール４４に代えて、霧化電極４１を結露させる装置、または、霧化電極４１に水分を供給する装置を備える。
・実施の形態６のマウスピース２００の変形例によれば、区画要素２７０の内周面に傾斜部２７２が形成される。この場合、第１供給口２０３が指向する方向は、区画要素２７０の中心軸線の方向において接続部２１０側からガイド面２２１側に向かうにつれて中心軸線と直交する方向の内側に向かう方向である。この構成によれば、第１供給口２０３から案内通路２０６に供給された歯漂白流体と、第２供給口２０４から案内通路２０６に供給された加湿気体とが混合しにくくなる。
【０１８４】
・実施の形態６のマウスピース２００の変形例は、第１供給口２０３および第２供給口２０４に代えて矩形状に類似した形状を有する第１供給口および第２供給口を備える。第１供給口は、湾曲要素２２０の延長方向に延びるように形成され、ガイド面２２１のうちの歯と対向し得る位置に開口し、歯漂白流体を口腔内に供給する。第２供給口は、湾曲要素２２０の延長方向に延びるように形成され、ガイド面２２１のうちの歯茎と対向し得る位置に開口し、加湿気体を口腔内に供給する。
【０１８５】
・実施の形態９のマウスピース５００の変形例によれば、咬合要素５６０に複数の第１供給口５０３が形成される。
・実施の形態９のマウスピース５００の変形例によれば、外側湾曲要素５２０および内側湾曲要素５７０のうちの下側の歯収容空間５０５を形成する部分、ならびに、下側の第１供給口５０３が省略される。この変形例によれば、ユーザーがマウスピースを使用することにより上顎の歯だけが漂白される。
【０１８６】
・実施の形態９のマウスピース５００の変形例によれば、外側湾曲要素５２０および内側湾曲要素５７０のうちの上側の歯収容空間５０５を形成する部分、ならびに、上側の第１供給口５０３が省略される。この変形例によれば、ユーザーがマウスピースを使用することにより下顎の歯だけが漂白される。
【０１８７】
・各実施の形態のマウスピース１００，２００，３００，４００，５００の変形例によれば、シリコーンゴムとは別の材料であって可撓性を有する材料により形成される。その材料の一例は、エラストマーゴム、軟質塩化ビニル、および、エチレンープロピレンージエンゴムである。
【０１８８】
・各実施の形態の生成装置３０の変形例は放電部４０に直流電力を供給し、その電力により放電部４０に放電を発生させる。
・各実施の形態の生成装置３０の変形例はグロー放電またはアーク放電等のようにコロナ放電とは異なる形態の放電を発生させる。
【０１８９】
・各実施の形態の生成装置３０の変形例は、プラズマの形態を有する歯漂白流体を生成する。
・各実施の形態の歯漂白装置１０の変形例は生成装置３０に代えて、放電部４０を含む第１の生成装置、および、加湿器３３を含む第２の生成装置を備える。この変形例の歯漂白装置１０はさらに、連結部２０に代えて第１の生成装置および第２の生成装置をそれぞれマウスピース１００，２００，３００，４００，５００と連結する連結部を備える。
【０１９０】
・各実施の形態の歯漂白装置１０の変形例によれば、連結部２０，６０が生成装置３０およびマウスピース１００，２００，３００，４００，５００の少なくとも一方と一体化される。
【０１９１】
・各実施の形態の歯漂白装置１０の変形例によれば、生成装置３０とマウスピース１００，２００，３００，４００，５００とが直接的に接続される。
・各実施の形態の歯漂白装置１０の変形例は、加湿器３３により加湿気体を放電部４０に供給し、その気体を用いて歯漂白流体を生成し、その歯漂白流体を生成装置３０からマウスピース１００，２００，３００，４００，５００に供給する。実施の形態１にこの変形例が組み合わせられる場合、生成装置３０、連結部２０、および、マウスピース１００は、それぞれが備える２つの供給通路の一方を省略できる。なお、他の実施の形態に上記変形例が組み合わせられる場合にも同様に２つの供給通路の一方を省略できる。
【０１９２】
・各実施の形態の歯漂白装置１０の変形例は、放電部４０により生成された歯漂白流体を加湿器３３に供給し、その流体を用いて加湿気体を生成し、その加湿気体を生成装置３０からマウスピース１００，２００，３００，４００，５００に供給する。実施の形態１にこの変形例が組み合わせられる場合、生成装置３０、連結部２０、および、マウスピース１００は、それぞれが備える２つの供給通路の一方を省略できる。なお、他の実施の形態に上記変形例が組み合わせられる場合にも同様に２つの供給通路の一方を省略できる。
【０１９３】
・上記詳細な説明は例証的であり制限的でないことを意図する。例えば、上述した各実施の形態、または、１つあるいは複数の変形例は、必要に応じて互いに組み合わせられる余地を含む。本開示の技術的特徴または主題は、特定の実施の形態の全ての特徴よりも少ない特徴に存在することがあり得る。このため、特許請求の範囲は詳細な説明に組み込まれ、各請求項は個別の実施形態として自分自身を主張する。そして、本開示の範囲は特許請求の範囲に与えられる権利と均等物の全範囲との双方に基づいて確定される。
【符号の説明】
【０１９４】
１０  ：歯漂白装置
２０  ：連結部
２１  ：第１供給通路
２２  ：第２供給通路
２３  ：内管
２４  ：外管
３０  ：生成装置
３３  ：加湿器
１００：マウスピース
１０１：第１供給通路
１０２：第２供給通路
１０３：第１供給口
１０４：第２供給口
１２０：外側湾曲要素
１２１：ガイド面
２００：マウスピース
２０１：第１供給通路
２０２：第２供給通路
２０３：第１供給口
２０４：第２供給口
２２０：湾曲要素
２２１：ガイド面
３００：マウスピース
４００：マウスピース
４０１：第１供給通路
４０２：第２供給通路
４０３：第１供給口
４０４：第２供給口
５００：マウスピース
５０１：第１供給通路
５０Ａ：入口供給通路
５０Ｂ：出口供給通路
５０２：第２供給通路
５０３：第１供給口
５０４：第２供給口
５２０：外側湾曲要素
５２１：ガイド面
【図１】
2015229085.tif 000003
【図２】
2015229085.tif 000004
【図３】
2015229085.tif 000005
【図４】
2015229085.tif 000006
【図５Ａ】
2015229085.tif 000007
【図５Ｂ】
2015229085.tif 000008
【図６】
2015229085.tif 000009
【図７】
2015229085.tif 000010
【図８】
2015229085.tif 000011
【図９】
2015229085.tif 000012
【図１０】
2015229085.tif 000013
【図１１】
2015229085.tif 000014
【図１２】
2015229085.tif 000015
【図１３】
2015229085.tif 000016
【図１４】
2015229085.tif 000017
【図１５】
2015229085.tif 000018
【図１６】
2015229085.tif 000019
【図１７】
2015229085.tif 000020
【図１８】
2015229085.tif 000021
【図１９Ａ】
2015229085.tif 000022
【図１９Ｂ】
2015229085.tif 000023